(57)【特許請求の範囲】
【請求項１】
フィルム面を有する表示モジュールと、
前記表示モジュールの前記フィルム面よりも観察者側に配置される防塵部材と、
前記防塵部材よりも前記観察者側で光軸方向に移動可能に配置される接眼レンズと、
前記表示モジュール、前記防塵部材および前記接眼レンズを保持するカバー部材と、
前記表示モジュールの前記フィルム面と前記防塵部材との空間が密閉されるように、前記表示モジュールおよび前記防塵部材を前記カバー部材に向けて付勢する弾性部材と、を備え、
前記カバー部材には、前記防塵部材の前記接眼レンズと対向する面および前記接眼レンズの前記防塵部材と対向する面に付着した異物を除去する開口を形成することを特徴とするビューファインダ。
【請求項２】
前記カバー部材は、内壁部を有し、
前記弾性部材は、前記表示モジュールおよび前記防塵部材を前記内壁部に向けて付勢することを特徴とする請求項１に記載のビューファインダ。
【請求項３】
前記表示モジュールは、光源を有し、
前記フィルム面は、前記光源からの光を画像表示面に反射させることを特徴とする請求項１または２に記載のビューファインダ。
【請求項４】
着脱可能なアイカップと、をさらに備え、
前記アイカップを装着することで前記開口を覆うことを特徴とする請求項１ないし３の何れか１項に記載のビューファインダ。
【請求項５】
請求項１ないし４の何れか１項に記載のビューファインダを備える撮像装置。
【発明の詳細な説明】
【技術分野】
【０００１】
本発明は撮像装置に関し、特にビューファインダを備えた撮像装置に関するものである。
【背景技術】
【０００２】
従来、撮像装置のビューファインダは、撮影中の映像信号に基づいて画像を液晶表示部に表示する。そして、液晶表示部に表示された画像は接眼レンズで拡大される。
【０００３】
しかし、ビューファインダ内部に粉塵等の異物が付着すると、画像の観察を阻害してしまう。そこで、接眼レンズと接眼開口部の間に防塵ガラスを設け、ビューファインダ内部を完全に密閉することが知られている。また、防塵ガラスで外光が反射しないように、防塵ガラスを傾斜させて配置することが知られている。（特許文献１参照）
【先行技術文献】
【特許文献】
【０００４】
【特許文献１】特開平５−６８１８９号公報
【発明の概要】
【発明が解決しようとする課題】
【０００５】
しかし、特許文献１に開示される構造では、接眼レンズと接眼開口部の間に防塵ガラスを傾斜させて配置させるためスペースが必要となり、ビューファインダが大型化してしまう。また、防塵ガラスを傾斜させることなく配置する場合には、防塵ガラスの表面に反射防止のコーティングを施す必要があり、工数およびコストの増加につながってしまうという課題がある。
【０００６】
一方、ビューファインダ内部を完全に密閉せず、適宜ブロアでビューファインダ内部を清掃することができる構造とすることも考えられる。しかしながら、ビューファインダ内部に配置される表示モジュールは非常に壊れやすく、清掃の際にブロアなどで表示モジュールを破損してしまう危険性がある。
【０００７】
本発明は、撮像装置のビューファインダ内部を完全に密閉することなく、ブロアでビューファインダ内部を清掃可能な構造としながら、ビューファインダ内部に配置される表示モジュールを保護することを目的とする。
【課題を解決するための手段】
【０００８】
上記目的を達成するため、本発明のビューファインダは、フィルム面を有する表示モジュールと、前記表示モジュールの前記フィルム面よりも観察者側に配置される防塵部材と、前記防塵部材よりも前記観察者側で光軸方向に移動可能に配置される接眼レンズと、前記表示モジュール、前記防塵部材および前記接眼レンズを保持するカバー部材と、前記表示モジュールの前記フィルム面と前記防塵部材との空間が密閉されるように、前記表示モジュールおよび前記防塵部材を前記カバー部材に向けて付勢する弾性部材と、を備え、前記カバー部材には、前記防塵部材の前記接眼レンズと対向する面および前記接眼レンズの前記防塵部材と対向する面に付着した異物を除去する開口を形成す
ることを特徴とする。
【発明の効果】
【０００９】
撮像装置のビューファインダ内部を完全に密閉することなく、ブロアでビューファインダ内部を清掃可能な構造としながら、ビューファインダ内部に配置される表示モジュールを保護することが可能となる。
【図面の簡単な説明】
【００１０】
【図１】ビューファインダ１の外観を示す斜視図。
【図２】ビューファインダ１を分解した状態を示す分解斜視図。
【図３】ビューファインダアセンブリ５を分解した状態を示す分解斜視図。
【図４】表示ユニット部６を分解した状態を示す分解斜視図。
【図５】表示モジュール９の構造を説明する断面図。
【図６】カバー部材８に防塵板１１を組み込んだ状態を、防塵板１１の前方側から見た図。
【図７】表示モジュールホルダ１０に表示モジュール９を取り付ける構造を説明する斜視図。
【図８】カバー部材８に防塵板１１、表示モジュールホルダ１０および表示モジュール９を組み込んだ状態を、防塵板１１の前方側から見た図。
【図９】弾性部材１２、蓋部材１３を一体にした部品をカバー部材８に取り付ける状態を説明する図。
【図１０】接眼レンズユニット部７の外観を示す斜視図。
【図１１】接眼レンズユニット部７を分解した状態を示す分解斜視図。
【図１２】接眼レンズユニット部７の組み立て状態を説明する要部の斜視図。
【図１３】マスク３２を２群接眼レンズ２８と３群接眼レンズ２９との間に配置する状態を説明する斜視図。
【図１４】接眼レンズユニット部７の断面図。
【図１５】ビューファインダアセンブリ５と上カバー２と下カバー３を組み合わせた状態の断面図。
【図１６】本発明を実施した撮像装置の一例であるビデオカメラの外観を示す斜視図。
【発明を実施するための形態】
【００１１】
図１６は本発明を実施した撮像装置の一例であるビデオカメラの外観を示す斜視図である。図１６に示すように、ビデオカメラはビューファインダ１を備えている。
【００１２】
図１はビューファインダ１の外観を示す斜視図である。本実施形態では図１および図１６に示すように、ビューファインダ１を観察者側から見た状態における上下左右前後の方向を撮像装置の上下左右前後の方向と定義する。
【００１３】
図２はビューファインダ１を分解した状態を示す分解斜視図である。
【００１４】
ビューファインダ１は、上カバー２と下カバー３と観察者によって着脱可能なアイカップ４によってビューファインダアセンブリ５を覆うように構成されている。上カバー２には、開口部２ａが形成されている。下カバー３には接眼レンズユニット部７が露出する開口部３ａが形成されている。
【００１５】
図３はビューファインダアセンブリ５を分解した状態を示す分解斜視図である。ビューファインダアセンブリ５は表示ユニット部６と接眼レンズユニット部７とカバー部材８を備える。カバー部材８は表示ユニット部６と接眼レンズユニット部７とを保持する。表示ユニット部６は、表示モジュール９と防塵板１１とを一体化した表示ユニットに相当し、接眼レンズユニット部７は複数のレンズを一体化した接眼レンズユニットに相当する。
【００１６】
接眼レンズユニット部７の下方には、視度調整ノブ３３が突出形成されており、後述のように視度調整を可能にしている。カバー部材８の上部には、開口部８ｂが形成されている。
【００１７】
図４は表示ユニット部６を分解した状態を示す分解斜視図である。表示ユニット部６には表示モジュール９、表示モジュールホルダ１０、防塵板１１、弾性部材１２および蓋部材１３を備えている。表示モジュール９は、撮影中の映像信号に基づいて画像を表示する。表示モジュールホルダ１０は、表示モジュール９を保持する。防塵板１１は、表示モジュール９の後方に設けられて表示モジュール９を粉塵等から防塵する。弾性部材１２は、蓋部材１３とカバー部材８の間に圧縮されて挟まれることで、表示モジュール９、表示モジュールホルダ１０および防塵板１１をカバー部材８に付勢する。
【００１８】
図５は表示モジュール９の構造を説明する断面図である。本実施形態では表示モジュール９は反射型の液晶ディスプレイを用いており、光源１４より発光された光をフィルム面１５によって反射し、画像表示面１６に照射することによって、光量を得ることで画像を表示している。
【００１９】
次に図４、図６、図７、図８を用いて表示ユニット部６の密閉構造について説明する。
【００２０】
表示モジュール９に粉塵等異物が入り込んだ場合、ビューファインダを使用している撮影者から粉塵が視認でき、表示画像が見づらくなってしまう。そのため、表示モジュール９に粉塵が付着しないように防塵をする必要がある。本実施形態では、図４のように光軸前方から光軸後方へ順に部材を付勢していくことで表示ユニット部６を密閉している。表示ユニット部６を組み立てる順番に説明をしていく。
【００２１】
図６は、カバー部材８に防塵板１１を組み込んだ状態を、防塵板１１の前方側から見た図である。防塵板１１には切り欠き部１７が形成され、正しい位置でのみ、カバー部材８の突出部１８と嵌合する。図６に示す向きで防塵板１１をカバー部材８に組み込み、カバー部材８の内壁８ａに当接させる。図６に示す向き以外の向きで防塵板１１をカバー部材８に組み込むことができないようになっている。
【００２２】
カバー部材８に対する防塵板１１の位置は、防塵板１１の上下左右の４辺がカバー部材８に形成される位置決めリブ１９に当接することで位置決めされる。
【００２３】
次に表示モジュールホルダ１０、表示モジュール９の順に組み込む。図７に図示するように、表示モジュール９には、位置決め用の切り欠き部２０が形成され、表示モジュールホルダ１０には、位置決めリブ２１と弾性を持つ付勢リブ２２が形成されている。表示モジュール９の切り欠き部２０が表示モジュールホルダ１０の位置決めリブ２１と付勢リブ２２それぞれに嵌合することで、表示モジュールホルダ１０に対する表示モジュール９の位置が決まる。表示モジュール９が表示モジュールホルダ１０に対して、片側に付勢されることでガタによる位置のばらつきを軽減している。
【００２４】
図８は、カバー部材８に防塵板１１、表示モジュールホルダ１０および表示モジュール９を組み込んだ状態を、防塵板１１の前方側から見た図である。すなわち、図６の状態から表示モジュールホルダ１０および表示モジュール９をカバー部材８に組み込んだ状態を示している。図８に図示するようにカバー部材８には摺動部２３が形成されており、表示モジュールホルダ１０は摺動部２３を摺らせてカバー部材８にスムーズに組み込むことができる。
【００２５】
カバー部材８に表示モジュールホルダ１０および表示モジュール９を組み込んだ後、弾性部材１２、蓋部材１３を一体にしてカバー部材８に取り付ける。図９は弾性部材１２、蓋部材１３を一体にした部品をカバー部材８に取り付ける状態を説明する図である。図９に図示するように、カバー部材８に形成されるリブ２４と蓋部材１３に形成されるリブ２５を嵌め合わせることで、蓋部材１３はカバー部材８に取り付けられる。このとき、弾性部材１２はカバー部材８と蓋部材１３との間に圧縮された状態で挟まれる。したがって、弾性部材１２は、表示モジュール９、表示モジュールホルダ１０および防塵板１１をカバー部材８の内壁８ａに向けて付勢する。これによって、防塵板１１の後面がカバー部材８の内壁８ａに密着し、防塵板１１から表示モジュール９までの空間は密閉される。
【００２６】
図１０（ａ）（ｂ）は接眼レンズユニット部７の外観を示す斜視図である。接眼レンズユニット部７は表示モジュール９に表示されたファインダ像を拡大する。接眼レンズユニット部７を光軸方向に移動させることで、接眼レンズユニット部７の表示モジュール９に対する位置を変化させることで、観測者の視力に合わせた視度調整を行うことができる。すなわち、接眼レンズユニット部７は、防塵板１１よりも観察者側で光軸方向に移動可能に配置される接眼レンズに相当する。
【００２７】
図１０（ａ）に図示される接眼レンズユニット部７の下面に配置しているボス７ａは、視度調整ノブ３３と連結する。これによって、観測者が視度調整ノブ３３を操作することで、接眼レンズユニット部７が光軸方向に移動し、表示モジュール９に対する位置が変化する。すなわち、観測者が視度調整ノブ３３を操作することで、視度調整を行うことができる。
【００２８】
図１１は、接眼レンズユニット部７を分解した状態を示す分解斜視図である。接眼レンズユニット部７は、箱形状のレンズホルダー２６、１群接眼レンズ２７、２群接眼レンズ２８、３群接眼レンズ２９を収納し、ホルダーカバー３１で蓋をする構成となっている。また、２群接眼レンズ２８と３群接眼レンズ２９との間には、表示モジュール９からの不要な光線を遮光するためのマスク３２が配置されている。
【００２９】
次に、１群接眼レンズ２７、２群接眼レンズ２８および３群接眼レンズ２９のレンズホルダー２６に対する位置決め方法について説明する。１群接眼レンズ２７は両面に凸形状を有する。２群接眼レンズ２８は両面に凹形状を有する。３群接眼レンズ２９は両面に凸形状を有する。
【００３０】
図１４は、接眼レンズユニット部７の断面図であり、光束３０は表示モジュール９から発せられる光束である。図１４に図示するように、表示モジュール９に表示される画像を観測するために必要な光線が入射するために必要な範囲は、１群接眼レンズ２７および３群接眼レンズ２９が、２群接眼レンズ２８に対して大きい。そのため、２群接眼レンズ２８の外形に対して、１群接眼レンズ２７および３群接眼レンズ２９の外形は大きくする必要がある。
【００３１】
次に接眼レンズの形状について説明する。
図１２（ａ）〜（ｃ）は、接眼レンズユニット部７の組み立て状態を説明する要部の斜視図である。図１２（ａ）に図示するように、１群接眼レンズ２７の４隅に形成されているリブ２７ａに、ひと回り小さい２群接眼レンズ２８の４隅に形成されているリブ２８ａが係合するように挿入されている。これによって、１群接眼レンズ２７と２群接眼レンズとの位置が規定される。図１２（ｃ）に図示するように、３群接眼レンズ２９も、２群接眼レンズ２８に対して係合するように挿入され、２群接眼レンズ２８と、３群接眼レンズ２９の位置が規定される。さらに３群接眼レンズ２９の外周に設けられたリブ２９ａによって、３群接眼レンズ２９の光軸中心が、レンズホルダー２６に位置決めされる。これにより、１群接眼レンズ２７、２群接眼レンズ２８および３群接眼レンズ２９の光軸中心と、表示モジュール９の画角中心を精度良く一致させることができる。
【００３２】
ビューファインダ１の通常の使用用途では、上下逆さまとなる向きでビューファインダ１を使用することはほとんど無いため、重力による効果を考慮し、本実施形態では、２群接眼レンズ２８は光軸中心に上下が完全な対象形状ではない。また、２群接眼レンズ２８の裏表のレンズ形状も異なる。さらに、１群接眼レンズ２７と２群接眼レンズ２８の形状もよく似た形状となっている。そのため、間違えて組み立てられることを防止するため、図１２（ｂ）に図示するように、２群接眼レンズ２８には凸形状２８ｂを形成し、１群接眼レンズ２７には凹形状２７ｂを形成している。これによって、１群接眼レンズ２７と２群接眼レンズ２８とを正しい向きで組み合わせたときにのみ、２群接眼レンズ２８の凸形状２８ｂが１群接眼レンズ２７の凹形状２７ｂに係合する。
【００３３】
ここで３群接眼レンズ２９にこの形状は設けない。これにより誤組みの防止が可能となる。具体的には、１群接眼レンズ２７と３群接眼レンズ２９を間違えると、２群接眼レンズ２８が組み込めない。また、２群接眼レンズ２８を左右で逆向きに組み込むと、１群接眼レンズ２７に干渉する。さらに、２群接眼レンズ２８をひっくり返して組み込むと、３群接眼レンズ２９が組み込めなくなる。
【００３４】
また、１群接眼レンズ２７、２群接眼レンズ２８および３群接眼レンズ２９の光軸方向の位置は、レンズホルダー２６とホルダーカバー３１によって挟み込まれることで決定される。本実施形態では、ホルダーカバー３１に、各接眼レンズを表示ユニット部６の方向にチャージする腕３１ａが設けられており、ホルダーカバー３１を組み込むことで、接眼レンズの光軸方向のガタが無くなるため、接眼レンズの倒れなどが発生しない。
【００３５】
図１３（ａ）〜（ｃ）は、マスク３２を２群接眼レンズ２８と３群接眼レンズ２９との間に配置する状態を説明する斜視図である。図１４に図示するように、光束３０は２群接眼レンズ２８で絞られるので、２群接眼レンズ２８は、１群接眼レンズ２７および３群接眼レンズ２９より必要な径が小さい。ところが、接眼レンズユニット部７は直方体の形状なので、２群接眼レンズ２８の周囲に隙間が発生する。このため、例えば１群接眼レンズ２７から、２群接眼レンズ２８を介さず３群接眼レンズ２９に直接入射する光など、不要な光による悪影響が考えられる。本実施形態では、この悪影響を避けるため、２群接眼レンズ２８と３群接眼レンズ２９との間にマスク３２を配置している。マスク３２は、２群接眼レンズ２８のレンズ面に延長して配置され、光束３０が通過する開口が形成されている。
【００３６】
図１３（ｂ）に図示するように、マスク３２には、２群接眼レンズ２８に形成されるリブ２８ａに対応する位置に孔３２ａが形成されている。孔３２ａに２群接眼レンズ２８のリブ２８ａを挿通するように、２群接眼レンズ２８に対してマスク３２を配置することで、マスク３２と２群接眼レンズ２８との位置が決められる。また、図１３（ｃ）に図示するように、マスク３２の光軸方向の位置は、１群接眼レンズ２７のリブ２７ａと、３群接眼レンズのリブ２９ａに挟まれることで固定される。
【００３７】
また、図１４に図示するように、１群接眼レンズ２７への入射不要光を制限するため、レンズホルダー２６のビューファインダパネル面側にマスク部２６ｂを形成している。図１０（ａ）に図示するように、本実施形態において、マスク部２６ｂは、レンズホルダー２６の下側から、マスク部２６ｂと、１群接眼レンズ２７保持面との間に穴をあけて形成している。このため、接眼レンズユニット部７内への埃の侵入を防止しつつ、マスク部を別部材で構成する必要なく、部品点数を増加させることがない。
【００３８】
上述のような構成により、接眼レンズユニット部７は、１群接眼レンズ２７、２群接眼レンズ２８および３群接眼レンズ２９の光軸中心と、表示モジュール９の画面中心を精度良く一致させることが出来る。これによって、良好な光学性能を確保し、また、各接眼レンズ間への粉塵の侵入防止や、不要な光による影響を軽減することによる、見えの改善を行うことが可能となっている。
【００３９】
以上の構成により、表示ユニット部６と接眼レンズユニット部７は各々のユニット内において、密閉することによって防塵している。しかし、防塵板１１の後面と１群接眼レンズ２７の前面と３群接眼レンズ２９の後面は密閉されておらず、粉塵が付着する恐れがある。
【００４０】
図１５はビューファインダアセンブリ５と上カバー２と下カバー３を組み合わせた状態の断面図である。カバー部材８の上部に形成した開口部８ｂは、防塵板１１の後面および１群接眼レンズ２７の前面を清掃するために、ブロアを差し込むための開口である。すなわち、開口部８ｂは、防塵板１１の接眼レンズユニット部７と対向する面および前接眼レンズユニット部７の防塵板１１と対向する面に付着した異物を除去する開口に相当する。
【００４１】
図１５に図示するように、上カバー２の開口部２ａとカバー部材８の開口部８ｂは、ビューファインダ１の前後方向で一致する。したがって、上カバー２の開口部２ａからブロアの先端を差し込むことで、ブロアの先端がカバー部材８の開口部８ｂに入るもしくは、ブロアの先端から噴射される気体がカバー部材８の開口部８ｂに入る。これによって、防塵板１１の後面および１群接眼レンズ２７の前面を清掃することができる。
【００４２】
このとき、防塵板１１から表示モジュール９までの空間は密閉されているので、表示モジュール９にはブロアの先端が接触することもなく、ブロアの先端から噴射される気体が直接表示モジュール９にダメージを与えてしまうこともない。
【００４３】
図１に図示するように、アイカップ４を装着することで、上カバー２の開口部２ａおよびカバー部材８の開口部８ｂはアイカップ４によって覆われる状態となり、開口部２ａおよび開口部８ｂから粉塵が入り込むことを防いでいる。
【００４４】
なお、図１５に図示するように、３群接眼レンズ２９の後面は開口部３ａから露出する状態となるので、開口部３ａから３群接眼レンズ２９の後面を清掃することができる。
【００４５】
以上、説明したように、本実施形態では、防塵板１１から表示モジュール９までの空間を密閉空間とし、接眼レンズユニット部７が光軸方向に移動する空間を開放空間としている。そして、カバー部材８に防塵板１１の後面および１群接眼レンズ２７の前面を清掃する開口部８ｂを形成している。これによって、防塵板１１の後面および１群接眼レンズ２７の前面に付着した粉塵等の異物を、表示モジュール９にダメージを与えることなく効果的に除去することができる。
【００４６】
さらに、防塵板１１は、表示モジュール９と１群接眼レンズ２７との間に配置されるので、外光が直接防塵板１１に入射することはない。したがって、防塵板１１の表面に反射防止のコーティングを施す必要がなく、工数やコストの削減という効果も奏するものである。
【符号の説明】
【００４７】
１  ビューファインダ
２  上カバー
２ａ  開口部
４  アイカップ
５  ビューファインダアセンブリ
６  表示ユニット部
７  接眼レンズユニット部
８ａ  内壁
８ｂ  開口部
９  表示モジュール
１０  表示モジュールホルダ
１１  防塵板
【図１】
0005665421.tif 000002
【図２】
0005665421.tif 000003
【図３】
0005665421.tif 000004
【図４】
0005665421.tif 000005
【図５】
0005665421.tif 000006
【図６】
0005665421.tif 000007
【図７】
0005665421.tif 000008
【図８】
0005665421.tif 000009
【図９】
0005665421.tif 000010
【図１０】
0005665421.tif 000011
【図１１】
0005665421.tif 000012
【図１２】
0005665421.tif 000013
【図１３】
0005665421.tif 000014
【図１４】
0005665421.tif 000015
【図１５】
0005665421.tif 000016
【図１６】
0005665421.tif 000017